(57)【要約】【課題】従来より、お年寄りや病人など体の不自由な人向けの生活補助具として又介護用としてリフトやクレーンを利用した補助機械がある。被介護人を介護する場合、機高が高いほど吊り上げ行程が楽であるが、高ければ出入口などの出入りが普通の家庭では難しい、と言って低ければ出入口などは通っても吊り上げる高さに吊り上がらない。【解決手段】一対の支柱2と支柱の上端間に仮設したレール1からなる門型フレームに特殊トロリーを水平移動自在に取り付け、各々の支柱は安定を確保するためにA型の構造をしており、支柱の足先にはそれぞれ自由車輪が取り付けられており、台車全体を自由に移動させることができる介護用リフト付き台車。【選択図】図1
2013183837.tif 000002
【特許請求の範囲】
【請求項１】
索引具を介護台車上端部に取付けたことにより台車の機高をより低く抑え、被介護人の吊り上げ幅を特殊トロリーによりより高く上げることを可能にし、ベッド上で抱きかかえる作業をなくして介護による腰痛の心配をなくしたことを特徴とする介護用リフト付き台車。
【請求項２】
特殊トロリーにより被介護人を吊り上げたまま移動または電動にて楽に上下に移動でき又手動にて左右に軽く動き介護人の労力を劇的にカットしたことを特徴とする介護用リフト付き台車。
【発明の詳細な説明】
【技術分野】
【０００１】
本発明は、介護者を介護用リフトにて吊り上げて移動する際に、用いられる介護リフト付き台車に関するものである。
【背景技術】
【０００２】
従来よりお年寄りや病人など、体の不自由な人には生活補助としてまた介護用としてリ
フトやクレーンを利用した補助機械がある、例えば一般的日本家屋に設置するためにでき
るだけ高い所に格納できるように工夫されたもの(特開2004-089427)、またレールごと天
井に取り付けたもの(特開2001-212187)などがある。
【先行技術文献】
【特許文献】
【０００３】
【特許文献１】特開２００４−０８９４２７号公報
【特許文献２】特開２００１−２１２１８７号公報
【発明の概要】
【発明が解決しようとする課題】
【０００４】
しかしながら、上記のものは確かに高いところに格納できるため健常者である介護人にかかる負担は減り便利であるが、非介護人には高いところへ行けても何の利益もない、非介護人にとっては限定的である横の動きから解放されることこそが最大の利益と言える。病人又は老人、身体不自由人の寝ている上より吊り具を取り付ける吊り具であって、吊り上げた姿勢が車椅子、腰掛け、トイレ、お風呂などにマッチした腰掛け状態で吊り上げる吊り機と吊り具が望まれている。
また非介護人を介護する場合、機高が高いほど吊り上げ工程が楽であるが、高ければ出入口などの出入りが普通の家庭では難しい、と言って低ければ出入口等は通っても吊り上げる高さに吊り上がらない。これを解決するために各図にあるように製造し、低い出入口なども通過できるようにして、介護人の労力も削減できる。
【課題を解決するための手段】
【０００５】
老人または患者が寝たままの状態の上部より本吊り具を取付バンドで固定し、車椅子やトイレなどをN字型になるよう吊り具を使用介護人の安全と重労働より解放し患者又は老人も快適に行動できる。被介護者の体の前方側に取付ける介護リフト用吊り機であって、各介護リフト用吊具は、被介護者の頭部固定部と胸部固定部と腿部固定部と、各胸腹固定部から被介護者の前方側に延長して設けられたフック部とを有し、各固定部と被介護者とを各々バンドにて固定し、各フック部にて介護リフトと接続することを特徴とする介護リフト付き台車である。
【発明の効果】
【０００６】
本発明は吊り具を被介護者の体の胸部等表側に取付けることにより、非介護者を抱きかかえることなく、非介護を移動させることができる吊り機である。
本発明の吊り機で被介護者をベッド等から吊り上げると、椅子に腰かけたままの状態で吊り上げることができるので、介護の3大目的であるトイレ、車椅子の乗り降り、風呂の出入りが簡単にできるようになり、介護人の負担が大幅に減じ、したがって腰痛にもなりにくい。また上下左右移動が楽にできる台車なので、他の病室へも楽に移動して使用することができる。
本発明は介護人が労働時に腰痛になって退職してしまう危機をなくして、理想的な家庭介護を促進する効果がある。
【図面の簡単な説明】
【０００７】
【図１】本発明の全体図
【図２】本発明の分解説明図
【図３】本発明の側面及び分解部分を説明する図
【図４】本発明に用いる特殊トロリーの動作を説明する図
【発明を実施するための形態】
【０００８】
本発明の実施の形態を図面を使いながら説明する。
第1図は本発明の介護用リフト付き台車の全体図と各部の名称を説明するものである。一対の支柱２と支柱の上端間に仮設したレール１からなる門型フレームに特殊トロリーを水平移動自在に取り付ける。第２図に見るように本機は大別して４つの部分から成りレール本体と脚部２体と介護人吊り具部の４部分に分別でき生産性もよく運搬輸送も格段の省エネになる。第３図にみるように各々の支柱は安定を確保するためにA型の構造をしており、支柱の足先にはそれぞれ自在車輪が取り付けられており、ワイヤー索引機により被介護人を上下左右に移動できるだけでなく、車輪により台車全体を自由に移動させることができる。又レールと並行してのレール下方の支柱間にワイヤーが架設されており、そのワイヤー上に特殊トロリーが介装されている。ワイヤーは一端が片側の支柱の上端部付近に設けられたワイヤー先端固定金具に固定されており、多端側は他方の支柱の上端部近くのレールからつりさげられた電動のワイヤー索引機に巻き取られている。図示しないものの、ワイヤー索引機には上下動スイッチが接続されており、介護人が該スイッチを操作することで被介護者を上下に移動させることができる。
図2により吊り具の上下動機構を説明する。台車の上部レール下端に固定されたワイヤー索引機(ワイヤー)を巻き上げる（巻き取る）と、被介護人を吊り上げるフック（吊り具）が上昇します。またワイヤーの中間部に安全ストッパー球を設け、ワイヤー索引機のワイヤー取り入れ口付近に該安全ストッパー球を検知するセンサ（安全装置）を設けている。これによりワイヤーが巻き取られ過ぎて、被介護人がレール１にぶつかってしまうことを防いでいる。逆にワイヤー索引機を巻き戻すとワイヤーが下がり、被介護人もフック（吊り具）も下がります。
図４により吊り具の左右移動機構を説明する。本機の特殊トロリーは転動ローラーによりＨ型鋼で構成されるレールを自在に移動出来るようになっている。特殊トロリーの下部にはワイヤーローラとワイヤーを介してフック部（吊り具）がつりさげられている。ワイヤー索引機を止めた状態で、特殊トロリーを左右に手で動かしてもワイヤーが伸縮しないため、簡単に左右に移動できる。
また台車上部のレール下方にワイヤー索引機と特殊トロリーとワイヤーから構成される機構部を吊り下げたことにより、機高を大幅に低くしかつ被介護人を高く散り上げることができ、又介護人の労力を大幅に削減することができる。
本機の使用により介護人の労力、特に介護人の腰痛が激減する。また機高が一般市民の家屋にも使用可能のため、一番望ましい家庭介護が楽にできる。車椅子、トイレ、風呂などの介護に最適である。また上下、前後左右に楽に移動可能である。
【符号の説明】
【０００９】
１  レール
２  支柱
【図１】
2013183837.tif 000003
【図２】
2013183837.tif 000004
【図３】
2013183837.tif 000005
【図４】
2013183837.tif 000006